(57)【要約】【課題】安価に製造することができ、アームを閉じることにより折り畳むことができるハンガーを提供する。【解決手段】ハンガー１は、左右に延びる２本のアーム１１と、それぞれのアーム１１を接続する一対の接続部１２を介して回動可能に連結するヒンジ部１３と、接続部１２と連動して回動し、外側に向かって凸となる支持部１４と、支持部１４に設けられる貫通孔１４Ａに挿通され、アーム１１が開いた状態において下方に凸に屈曲し、アーム１１が閉じた状態において上方に凸に屈曲する吊り下げ部１５と、を備える。【選択図】図１
0003210212.tif 000002
【実用新案登録請求の範囲】
【請求項１】
左右に延びる２本のアームと、
それぞれの前記アームを回動可能に互いに連結するヒンジ部と、
前記アームと連動して回動する一対の支持部と、
前記支持部に設けられ、前記支持部を挟持することによって前記アームが閉じることを規制し、前記支持部を解放することによって前記アームを閉じる吊り下げ部と、
を備えるハンガー。
【請求項２】
前記吊り下げ部は、
前記支持部に設けられる貫通孔に挿通され、正面視が略Ｓ字に形成される請求項１に記載のハンガー。
【請求項３】
前記吊り下げ部は、
前記支持部を周回するように設けられ、引き上げられた場合に前記支持部が開くことを規制する規制部と、
下方に変位した場合に前記ヒンジ部との物理干渉を回避するように二股に分かれる回避部と、
前記回避部の上端部に接続されるフックと、
を備える。請求項１に記載のハンガー。
【請求項４】
前記支持部は、
前記アームに対して鈍角をなして接続し、上端に向かって厚みが次第に太くなるようにテーパをなす請求項１又は請求項３に記載のハンガー。
【考案の詳細な説明】
【技術分野】
【０００１】
本考案は、ハンガーに関する。
【背景技術】
【０００２】
衣料品を販売する店舗において、例えば丸首のＴシャツをハンガーにかけて展示する場合、従来のハンガーを使うとＴシャツの下部からハンガーを差し入れなければならず、工数と時間がかかっていた。
【０００３】
この点に関し、ハンガーの左右のアームを下方に折りたたみ、Ｔシャツの首の部分からハンガーのアームを差し入れ、その後にアームを開くタイプのハンガーが提案されている（例えば、特許文献１）。
【０００４】
しかし、従来のこのタイプのハンガーは、ヒンジ部分の機構が複雑であり、製造コストが高いものとなっていた。
【先行技術文献】
【特許文献】
【０００５】
【特許文献１】実用新案登録第３０８９５３４号公報
【考案の概要】
【考案が解決しようとする課題】
【０００６】
本考案が解決しようとする課題は、安価に製造することができ、アームを閉じることにより折り畳むことができるハンガーを提供することである。
【課題を解決するための手段】
【０００７】
上記課題を解決するために、本考案は左右に延びる２本のアームと、それぞれの前記アームを回動可能に互いに連結するヒンジ部と、前記アームと連動して回動する一対の支持部と、前記支持部に設けられ、前記支持部を挟持することによって前記アームが閉じることを規制し、前記支持部を解放することによって前記アームを閉じる吊り下げ部と、を備えるハンガーを提供する。
【考案の効果】
【０００８】
本考案によれば、安価に製造することができ、アームを閉じることにより折り畳むことができるハンガーを提供することができる。
【図面の簡単な説明】
【０００９】
【図１】本考案の一実施形態に係るアームを開いた状態の第１の実施形態のハンガーの斜視図。
【図２】アームを閉じた状態のハンガーの斜視図。
【図３】吊り下げ部を取り外して、閉じた状態のハンガーの側面図。
【図４】吊り下げ部を取り外して閉じた状態のハンガーの正面図。
【図５】アームを開いた状態の第２の実施形態のハンガーの斜視図。
【図６】アームを閉じた状態のハンガーの斜視図。
【考案を実施するための形態】
【００１０】
以下、本考案の一実施形態にかかるハンガー１を、図面を参照しながら説明する。
【００１１】
（第１の実施形態）
図１はアーム１１を開いた状態の本実施形態のハンガー１の斜視図、図２はアーム１１を閉じた状態のハンガー１の斜視図である。
【００１２】
図１及び図２に示すように、ハンガー１は、左右に延びる２本のアーム１１と、アーム１１を接続する接続部１２を介して回動可能に連結するヒンジ部１３と、接続部１２と連動して回動する支持部１４と、支持部１４に設けられる貫通孔１４Ａに挿通され、アーム１１が開いた状態において下方に凸に屈曲し、アーム１１が閉じた状態において上方に凸に屈曲する吊り下げ部１５と、を備える。
【００１３】
アーム１１は、開いた状態においてヒンジ部１３における角度が、例えば１２０°±１０°の鈍角となり、閉じた状態においてヒンジ部１３における角度が、例えば３０°±１０°の鋭角となる。
【００１４】
アーム１１の長さは、ＭサイズのＴシャツＴに通した場合にＴシャツＴの袖口から突出しない程度の長さであることが望ましい。アーム１１の太さは、ＴシャツＴを吊るすのに適切な太さであり、例えば幅３ｃｍ〜５ｃｍである。
【００１５】
左側のアーム１１は左側の接続部１２を介して左側の支持部１４と連結する。右側のアーム１１は右側の接続部１２を介して右側の支持部１４と連結する。従って、アーム１１を開くと、ヒンジ部１３を回動の中心として左右の支持部１４が互いに接近する。
【００１６】
支持部１４は、ヒンジ部１３から外側に湾曲し、その後内側に湾曲する。つまり、支持部１４は外側に向かって凸となるように湾曲する。
【００１７】
支持部１４はさらに、ヒンジ部１３との連結部分から湾曲の頂点付近にかけて連なる貫通孔１４Ａを有する。
【００１８】
貫通孔１４Ａには吊り下げ部１５が挿通される。
【００１９】
吊り下げ部１５は、正面視が略Ｓ字形状又は略Ｃ字形状をなす。吊り下げ部１５は、上方に起こした場合、下方に凸に湾曲する。従って、アーム１１を開き、支持部１４が接近した状態において吊り下げ部１５を起こすと、吊り下げ部１５の下方の湾曲部の中に支持部１４が収まり、支持部１４は開く方向への回動が吊り下げ部１５によって規制される。よって、アーム１１が開いた状態が維持される。
【００２０】
吊り下げ部１５を、図１の矢印Ｘ１の方向に示す下方側に倒すと、支持部１４への開く方向への回動の規制が解かれるため、支持部１４は左右に開く。支持部１４が左右に開くと、連動してアーム１１は閉じる。
【００２１】
つまり、吊り下げ部１５は、支持部１４に設けられ、支持部１４を挟持することによってアーム１１が閉じることを規制し、支持部１４を解放することによってアーム１１を閉じる。
【００２２】
ＴシャツＴにハンガー１を通す場合には、アーム１１を閉じた状態において、ＴシャツＴの首の部分からアーム１１を、図２の矢印Ｘ２の方向に差し入れる。そして、アーム１１を開き、袖に通して吊り下げ部１５を起こすとアーム１１は開いた状態において固定される。従って、ＴシャツＴはハンガー１に吊るされることが可能となる。
【００２３】
図３は、吊り下げ部１５を取り外して、閉じた状態のハンガー１の側面図である。図３に示すように、支持部１４の貫通孔は、上下方向に長く伸びていてもよい。この場合、遊びがあるため、吊り下げ部１５の回動が楽になる。
【００２４】
図４は、吊り下げ部１５を取り外して閉じた状態のハンガー１の正面図である。図４に示すように、２本の支持部１４はそれぞれ外側に凸に湾曲する。そして、左側の支持部１４は左側のアーム１１に対して略９０°の角度をなすように取り付けられる。
【００２５】
図４に示す例においては、２本の支持部１４はそれぞれ内側に向かって凹となるように形成されているが、この凹部は直線状に平らになっていてもよい。
【００２６】
以上述べたように、本実施形態のハンガー１は、左右に延びる２本のアーム１１と、それぞれのアーム１１を接続する一対の接続部１２を介して回動可能にアーム１１を互いに連結するヒンジ部１３と、接続部１２と連動して回動し、外側に向かって凸となる一対の支持部１４と、支持部１４に設けられる貫通孔１４Ａに挿通され、アーム１１が開いた状態において下方に凸に屈曲し、アーム１１が閉じた状態において上方に凸に屈曲する吊り下げ部１５と、を備える。
【００２７】
従って、本実施形態のハンガー１によれば、アーム１１を開閉する機構を簡素化したため、安価に製造することができるとともに、アーム１１を閉じることにより折り畳むことができ、ＴシャツＴにも容易に装着できるという効果がある。
【００２８】
なお、接続部１２とアーム１１とは一体に形成されていてもよい。この場合、ヒンジ部１３は、それぞれのアーム１１を回動可能に互いに連結する。
【００２９】
また、支持部１４は外側に向かって凸となっていなくてもよい。この場合、吊り下げ部１５が支持部１４を押圧して挟持するための突起を有する。
【００３０】
さらに、吊り下げ部１５は曲線の代わりに直線を用いて形成してもよい。この場合、吊り下げ部１５は湾曲する必要はない。
【００３１】
（第２の実施形態）
図５はアーム１１を開いた状態の本実施形態のハンガー１の斜視図、図６はアーム１１を閉じた状態のハンガー１の斜視図である。
【００３２】
図５及び図６に示すように、ハンガー１は、左右に延びる２本のアーム１１と、アーム１１を回動可能に連結するヒンジ部１３と、アーム１１と連動して回動する支持部１４と、支持部１４を挟持することによってアーム１１が閉じることを規制し、支持部１４を解放することによってアーム１１を閉じる吊り下げ部１５と、を備える。
【００３３】
アーム１１は、開いた状態においてヒンジ部１３における角度が、例えば１２０°±１０°の鈍角となり、閉じた状態においてヒンジ部１３における角度が、例えば３０°±１０°の鋭角となる。
【００３４】
アーム１１の長さは、ＭサイズのＴシャツＴに通した場合にＴシャツＴの袖口から突出しない程度の長さであることが望ましい。アーム１１の太さは、ＴシャツＴを吊るすのに適切な太さであり、例えば幅３ｃｍ〜５ｃｍである。
【００３５】
ヒンジ部１３はアーム１１と支持部１４との接続部に設けられる。アーム１１と支持部１４とのなす角は、例えば１２０°±１０°の鈍角である。ヒンジ部１３はこの鈍角の逆側に設けられる。ヒンジ部１３は２本のアーム１１が開閉するように、アーム１１の幅方向に沿って設けられる。
【００３６】
２本の支持部１４は、アーム１１を開いた場合にたがいに対向し、平行となる。支持部１４はアーム１１を開いた場合に対向する面の逆側の面が、上方に向かって厚みが次第に増すようにテーパをなす。
【００３７】
吊り下げ部１５は、２本の支持部を束ねるように周回し、引き上げた場合に支持部１４が開くことを規制する規制部１５Ａと、アーム１１が閉じられ、吊り下げ部１５が下方に変位した場合にヒンジ部１３との物理干渉を回避するように二股に分かれる回避部１５Ｂと、回避部１５Ｂの上端部に接続されるフック１５Ｃと、を備える。
【００３８】
規制部１５Ａは、例えばリング状の部材を用いることができるが、形状に制限はなく、矩形の環状部材であってもよい。規制部１５Ａの内径は、２本の支持部１４を合わせた太さより短い。従って、吊り下げ部１５を上方に引き上げても規制部１５Ａは支持部１４から抜けることはない。
【００３９】
回避部１５Ｂは環状の部材を半分に切った形状の部材を用いることができる。また、回避部１５Ｂは、例えばロープのように柔軟性のある線状の部材を用いてもよい。
【００４０】
フック１５Ｃは、規制部１５Ａから回避部１５Ｂを経てフック１５Ｃの直線部分の端部までの長さＢが、支持部１４の長手方向の長さＡより長くなるように設置される。
【００４１】
図５に示すように吊り下げ部１５を上方に引き上げると、支持部１４は上方に向かって太くなるようにテーパをなしているため、２本の支持部１４を閉じる方向に力が働く。２本の支持部１４が閉じられると、２本のアーム１１は開く方向に変位する。アーム１１は自重により下方に変位しようとするが、支持部１４が規制部１５Ａから抜けず、かつ、規制部１５Ａが支持部１４を閉じる方向に規制する。従って、ハンガー１は吊り下げた状態においてアーム１１は開いたままとなる。
【００４２】
図６に示すように吊り下げ部１５を下方に押し下げると、規制部１５Ａから２本の支持部１４にかかる力がなくなるため、支持部１４は開くことが可能になり、アーム１１は自重により閉じる方向に変位する。
【００４３】
アーム１１が閉じた状態において、アーム１１をＴシャツＴの首の部分から挿入し、その後吊り下げ部１５を引き上げればＴシャツＴを容易に吊るすことが可能となる。
【００４４】
以上述べたように、本実施形態のハンガー１は、左右に延びる２本のアーム１１と、それぞれのアーム１１を回動可能に連結するヒンジ部１３と、アーム１１に対して鈍角をなして連結し、アーム１１と連動して回動する支持部１４と、支持部１４を挟持することによってアーム１１が閉じることを規制し、支持部１４を解放することによってアーム１１を閉じる吊り下げ部１５と、を備える。
【００４５】
従って、本実施形態のハンガー１によれば、アーム１１を開閉する機構をさらに簡素化したため、さらに安価に製造することができるとともに、アーム１１を閉じることにより折り畳むことができ、ＴシャツＴにもさらに容易に装着できるという効果がある。
【符号の説明】
【００４６】
１      ハンガー
１１    アーム
１２    接続部
１３    ヒンジ部
１４    支持部
１４Ａ  貫通孔
１５    吊り下げ部
１５Ａ  規制部
１５Ｂ  回避部
１５Ｃ  フック
【図１】
0003210212.tif 000003
【図２】
0003210212.tif 000004
【図３】
0003210212.tif 000005
【図４】
0003210212.tif 000006
【図５】
0003210212.tif 000007
【図６】
0003210212.tif 000008